(57)【要約】【課題】  メモリ性表示素子を用いた電子機器において、外部からの衝撃を受けることによって表示状態に不具合が発生しても、次の表示内容の切替まで表示の不具合を維持されることを防止し、外力が加わるなどの表示状態に不具合を生じさせるようなことがあっても正常な表示状態を維持できる携帯型電子機器を提供すること。【解決手段】  表示パネル２４に衝撃が加わったことを検出して検出信号を出力する衝撃検出手段２６を有し、表示制御手段２５は、タイミング信号ＲＦと衝撃検出手段２６からの検出信号ＳＫとに基づき、表示情報記憶手段２２に記憶してある表示情報を表示パネル２４に更新表示させることを特徴とする携帯型電子機器であり、携帯型電子機器が衝撃を受けた直後に表示画面を正常な表示状態にすることができる。  【選択図】  図３
2007225872.tif 000002
【特許請求の範囲】
【請求項１】
メモリ性を有する表示素子を用いて表示画面を構成した表示装置と、
所定のタイミング信号で更新される表示情報を記憶する表示情報記憶手段と、
前記表示情報記憶手段に記憶した前記表示情報を前記タイミング信号に基づいて前記表示装置に更新表示させる制御手段とを有する携帯型電子機器において、
前記表示装置に衝撃が加わったことを検出して検出信号を出力する衝撃検出手段を有し、前記制御手段は、前記タイミング信号と前記衝撃検出手段からの前記検出信号とに基づき、前記表示情報記憶手段に記憶してある前記表示情報を前記表示装置に更新表示させる
ことを特徴とする携帯型電子機器。
【請求項２】
前記携帯型電子機器が圧電素子を用いたアラーム報知手段を有し、
前記衝撃検出手段は、前記アラーム報知手段に加わる衝撃によって前記圧電素子から発生する電圧を検出して前記検出信号を出力する電圧検出手段である
ことを特徴とする請求項１に記載の携帯型電子機器。
【請求項３】
前記電圧検出手段は、前記圧電素子から発生する電圧のレベルを検出して、所定のレベル以上の場合のみ前記検出信号を出力する
ことを特徴とする請求項２に記載の携帯型電子機器。
【請求項４】
前記制御手段が前記タイミング信号に基づいて前記表示装置を更新している期間中に前記衝撃検出手段からの前記検出信号を検出した場合には、前記検出信号に基づいて前記表示情報の更新を再度行なう
ことを特徴とする請求項１から請求項３のいずれか１つに記載の携帯型電子機器。
【請求項５】
前記制御手段が前記検出信号を検出した場合の前記表示装置の更新動作は、前記表示装置の有効画素領域の全面に同一色を表示させる第１の更新動作と、前記表示情報記憶手段の前記表示情報を表示させる第２の更新動作を有する
ことを特徴とする請求項１から請求項４のいずれか１つに記載の携帯型電子機器。
【発明の詳細な説明】
【技術分野】
【０００１】
この発明は携帯型電子機器、とくにメモリ性を有する液晶を用いた表示装置を備える電子機器の構成に関する。
【背景技術】
【０００２】
従来、携帯型電子機器において、メモリ性を有する表示素子を用いたものは少ない。しかし、メモリ性を有する表示素子を用いることにより、常時表示素子を駆動することが無いため、機器の低消電化には有効な表示素子として有望視されている。
【０００３】
従来の電子機器に用いられる液晶表示素子は、衝撃や振動等の外力が加わり、液晶表示素子を構成している上下２枚のガラス基板間のギャップ寸法が狭くなり表示状態に不具合が生じた場合でも、液晶表示素子に常時駆動信号が印加されているため、その外力が無くなり、正常なギャップに戻れば、その駆動信号によって正常状態の表示状態に戻ることができる。
【０００４】
従来は、たとえば特許文献１に記載のように、操作手段によるモード切換えが所定時間なかった場合には、記憶手段に記憶されている情報に基づいて表示内容を更新していた。
【０００５】
メモリ性を有する液晶を用いた表示装置は、表示情報が定期的に更新されているが、表示が乱れたときに、表示の乱れ発生直後に表示を修正するための更新動作は行なっていなかった。すなわち、外部衝撃が頻繁に加わりやすい携帯型電子機器において、衝撃が加わったときに、衝撃直後に表示内容が修正されるのではなく、所定の表示更新時期になるまでは、表示が乱れたままであった。
また、表示装置に対して、外部衝撃が加わることを想定して、液晶表示素子に加わる衝撃を和らげるような構造は積極的に採用されていなかった。
【０００６】
さらにドットマトリックス画素画面のメモリ性の表示素子において、ドットマトリックス画素画面を書換えている途中に外力が加わり、表示に黒点などの不具合が生じた場合でも、その時の表示画面は、不具合を生じたまま表示されることとなる。
【特許文献１】特開２０００−２７８５７２号公報（段落０００６〜００１０および図２１、図３１）
【発明の開示】
【発明が解決しようとする課題】
【０００７】
例えば時計のように消費電力をできるだけ削減して、電池寿命を長くすることが必要な携帯型電子機器において、表示装置の駆動に消費する電力を削減することは必要不可欠となる。とくにドットマトリックス表示装置となると、消費電力の削減はさらに重大なものになる。
【０００８】
そこで、例えば月、日、曜日のカレンダー情報を表示する電子機器においては、最低１日に一度表示情報を更新すればよいことになる。そのためには、１度書込みを行えば電圧を印加しない状態でもその表示情報を維持することができるメモリ性表示装置は、消費電力の低減化に有効な表示手段である。
【０００９】
しかしながら、電子機器が衝撃のような外力によって表示状態に不具合を生じた場合、月、日、曜日のカレンダー情報の不具合状態は、１日中保持したままとなる。表示装置は、一般的に上下２枚のガラス基板を貼り合わせ、その貼り合わされた間隙であるギャップに
液晶物質は注入している。液晶物質はガラス基板間に均一な分子配列状態にされている。その液晶分子配列を電気信号によって制御することによって、所定の白黒色を表示する構成となっている。
【００１０】
そのガラス基板間のギャップ寸法を、狭めたり広げたりするような外力が加わると、液晶の配列状態が乱れ、白色表示状態が黒色表示状態になったり、黒色表示状態が白色表示状態になったり、またはその中間色になったりして、その不具合表示状態が維持されることになる。
【００１１】
この発明は、上述した従来技術による問題点を解消するため、メモリ性表示装置を使用する電子機器においても、外力が加わるなどの表示状態に不具合を生じさせるようなことがあっても正常な表示状態を維持できる携帯型電子機器を提供することを目的とする。
【課題を解決するための手段】
【００１２】
上記目的を達成するために本発明の携帯型電子機器においては、下記記載の構成を採用する。
本発明の携帯型電子機器は、メモリ性を有する表示素子を用いて表示画面を構成した表示装置と、所定のタイミング信号で更新される表示情報を記憶する表示情報記憶手段と、前記表示情報記憶手段に記憶した前記表示情報を前記タイミング信号に基づいて前記表示装置に更新表示させる制御手段とを有する携帯型電子機器において、前記表示装置に衝撃が加わったことを検出して検出信号を出力する衝撃検出手段を有し、前記制御手段は、前記タイミング信号と前記衝撃検出手段からの前記検出信号とに基づき、前記表示情報記憶手段に記憶してある前記表示情報を前記表示装置に更新表示させることを特徴とする。
また本発明の携帯型電子機器は、前記携帯型電子機器が圧電素子を用いたアラーム報知手段を有し、前記衝撃検出手段は、前記アラーム報知手段に加わる衝撃によって前記圧電素子から発生する電圧を検出して前記検出信号を出力する電圧検出手段であることを特徴とする。
また本発明の携帯型電子機器は、電圧検出手段は、前記圧電素子から発生する電圧のレベルを検出して、所定のレベル以上の場合のみ前記検出信号を出力することを特徴とする。さらに本発明の携帯型電子機器は、前記制御手段が前記タイミング信号に基づいて前記表示装置を更新している期間中に前記衝撃検出手段からの前記検出信号を検出した場合には、前記検出信号に基づいて前記表示情報の更新を再度行なうことを特徴とする。
またさらに本発明の携帯型電子機器は、制御手段が前記検出信号を検出した場合の前記表示装置の更新動作は、前記表示装置の有効画素領域の全面に同一色を表示させる第１の更新動作と、前記表示情報記憶手段の前記表示情報を表示させる第２の更新動作を有することを特徴とする。
【発明の効果】
【００１３】
本発明によれば、消費電力の低減化に有効なメモリ性表示装置を表示に用いる電子機器において、衝撃検出手段からの検出信号と表示情報を更新表示させるタイミング信号とにより、表示情報記憶手段に記憶してある表示情報を表示装置に更新表示させている。
このため本発明の携帯型電子機器では、衝撃や振動のような外力が加わることによる表示状態に不具合を生じることがなく、常に良好な表示状態を維持することができる。
【発明を実施するための最良の形態】
【００１４】
以下に添付図面を参照して、この発明にかかる携帯型電子機器を実施するための最良の形態を詳細に説明する。以下の実施形態では、携帯型電子機器としてデジタル表示時計を例にして説明する。
【００１５】
（電子機器の構成説明）
図１は、本発明の実施形態におけるデジタル表示時計の表示状態を示す平面図であり、図１（Ａ）は正常な表示状態を示し、図１（Ｂ）は強い衝撃や振動などの外力を受け表示画面に表示の不具合が発生した状態を示す。
【００１６】
図１（Ａ）に示すように、時計ケース２内に表示装置として表示パネル１を収納する。表示パネル１には、細線で示すように３３列と３３行のドットマトリックス画素１ａが構成されている。そのドットマトリックス画素１ａを利用して、「２００６年、ａｍ１０時５８分、１２月３０日」という年、月、日、午前午後、時、および分情報が表示パネル１に表示されている。
この時計ケース２に衝撃や振動などの強い外力が加わった場合、表示パネル１を構成する２枚の基板間のギャップ寸法が所定寸法から変化し、液晶の配列状態が乱れて表示乱れ１ｂが白色表示から黒色表示や中間調表示、あるいはこれと逆に黒色表示が白色表示や中間調表示に変化してしまう。図１（Ｂ）では、表示パネル１が強い衝撃を受けて、表示乱れ１ｂが黒い表示乱れを発生した模様を例示している。
【００１７】
図２は、図１に示すデジタル表示時計の断面構造を示す断面図である。この図２を用いてデジタル表示時計の構造を説明する。
デジタル表示時計は、時計ケース２のおもて面側に固定する風防ガラス８と、時計ケース２の裏面側に固定するケース裏蓋９を有する。時計ケース２へのケース裏蓋９の固定は、時計ケース２に雌ねじを形成し、ケース裏蓋９には雄ねじを形成し、両者を螺合することにより行なう。
時計ケース２内の風防ガラス８側には表示パネル１を配設する。表示パネル１は、風防ガラス８側から、第１の偏光板１ｃ、第１の基板１ｄ、第２の基板１ｅ、および第２の偏光板１ｆを順次配置して構成している。
さらに表示パネル１の風防ガラス８と反対側に、表示パネル１を駆動制御する電子回路等が内蔵された時計モジュール３を配置する。
【００１８】
時計モジュール３と表示パネル１との間にはゼブラゴムからなる導電接続部材４を配置し、時計モジュール３で処理された表示情報を表示パネル１に伝達する。
さらに、時計モジュール３と表示パネル１との間に衝撃吸収材７を設け、さらに表示パネル１を時計モジュール３に保持固定するパネル押さえ部材５と表示パネル１との間に衝撃吸収部材６を設ける。これらの衝撃吸収材６と衝撃吸収材７は、ゴム材料などの弾性部材で構成し、外部からの衝撃や振動などの外力を吸収し、外力を低減させる働きをもち、表示パネル１に伝達され衝撃力を和らげ小さくしている。なお、パネル押さえ部材５は薄板の金属部材で構成する。
【００１９】
ケース裏蓋９の時計モジュール３側である内壁面に、衝撃を感知し衝撃力に応じた電気信号を出力する圧電素子１０を固着する。この圧電素子１０はアラーム報知手段の一部を構成している。圧電素子１０の上下面のそれぞれには、電極を設ける。圧電素子１０の上下面の電極のうち上面の第１の電極１１ａは時計モジュール３に導通接続し、下面の第２の電極１１ｂはケース裏蓋９と導通接続する。
【００２０】
つぎに図３の回路ブロック図を用いて、本発明の実施形態のデジタル表示時計のシステム構成について説明する。デジタル表示時計は、図３に示すように、アラーム報知手段を含む計時手段２１と、表示情報記憶手段２２と、表示駆動回路２３と、制御手段である表示制御回路２５と、アラーム報知手段に加わる衝撃によって圧電素子から発生する電圧を検出して検出信号を出力する電圧検出手段である衝撃検出手段２６と、表示パネル２４とを備える。
計時手段２１は、時計計時の基準信号を計数し表示に必要な情報の更新が行われるとデータ更新信号ＲＦ（タイミング信号）を表示制御回路２５に出力するとともに、時刻データ
ＤＡＴを表示情報記憶手段２２に出力する。表示情報記憶手段２２は、時刻データＤＡＴを入力し、表示情報ＤＳＰに変換して表示駆動回路２３に出力する。また表示情報記憶手段２２は、時刻データＤＡＴを入力し表示情報ＤＳＰへの変換が完了すると、記憶完了信号ＬＣＣを表示制御回路２５に出力する。
【００２１】
表示駆動回路２３は、表示情報ＤＳＰを入力し、図１に示すドットマトリックス画素１ａへの表示形式に変換する。また表示駆動回路２３は、通常表示同期信号ＣＬ１、または緊急表示同期信号ＣＬ２に同期して、ドットマトリックス画素１ａへの書込み信号を各走査信号ＣＯＭｎに合わせたセグメント信号ＳＥＧｍを表示パネル２４に出力する。
【００２２】
表示パネル２４は、図１及び図２で説明した表示パネル１と同じ構成で、２枚の基板間に液晶を封入し、基板上下に偏光板を配置している。表示制御回路２５は、前述のデータ更新信号ＲＦと記憶完了信号ＬＣＣを入力すると通常表示同期信号ＬＣ１を表示駆動回路２３に出力し、衝撃検出手段２６からの衝撃検出信号ＳＫを入力すると緊急表示同期信号ＬＣ２を表示駆動回路２３に、記憶情報呼出信号ＭＥＣを表示情報記憶手段２２にそれぞれ出力する。
【００２３】
衝撃検出手段２６は、図２を用いて説明した圧電素子１０を検出手段として構成している。このため計時手段２１からの出力であるアラーム信号ＡＬＭを入力するとアラーム音を発する。また時計ケース２が衝撃を受け、衝撃力によって圧電素子１０が発電すると、衝撃検出手段２６は衝撃信号ＳＫとして出力する。
【００２４】
つぎに図５を用いて、衝撃検出手段２６の構成についてさらに詳しく説明する。図５に付した符号は、図２、および図３で説明したものと同一の構成要素には同一符号を付けている。
衝撃検出手段２６は、圧電素子１０と、検出コイル３０と、アラーム駆動回路３１と、衝撃信号出力回路３２とを備える。
検出コイル３０は、圧電素子１０に高電圧を印加するための昇圧コイルである。アラーム駆動回路３１は、計時手段２１からのアラーム信号ＡＬＭを入力し、検出コイル３０に電荷を蓄えたり放出したりの交互動作を行うアラーム駆動信号ＡＬＭ１を出力する。
【００２５】
衝撃信号出力回路３２は、圧電素子１０が外力を受けて出力する圧電信号ＳＫ１を入力し、所定の電圧レベル以上であった場合に衝撃信号ＳＫとして出力する。また、衝撃信号出力回路３２はフィルター機能を備える。このフィルター機能によって衝撃信号出力回路３２は、アラーム駆動回路３１の動作によるアラーム駆動信号ＡＬＭ１と衝撃による圧電信号ＳＫ１との周波数が異なことから、衝撃による圧電信号ＳＫ１のみを受付ける。
【００２６】
図４は、図３における表示駆動回路２３が表示パネル２４を駆動する動作についてのフローを説明するフォローチャート図である。ここで、図４において、駆動動作は、図４の左側に示すリフレッシュ動作を行い、つぎに図４の右側に示す書込み動作を行うという連続動作で行う。すなわち本発明の携帯型電子機器は、表示制御手段２５が検出信号ＳＫを検出した場合、表示パネル２４の更新動作は、表示パネル２４の有効画素領域の全面に同一色を表示させる第１の更新動作（リフレッシュ動作）と、表示情報記憶手段２２の表示情報ＤＳＰを表示させる第２の更新動作（書込み動作）を行なう。
また図３で説明したように、表示駆動回路２３には、前述の如くデータ更新信号ＲＦが出力した時、あるいは衝撃検出信号ＳＫが出力した時、表示情報記憶回路２２から表示情報ＤＳＰを入力する。
【００２７】
まずリフレッシュ動作において、ステップ１Ｓ１で表示制御回路２５からの出力が通常表
示同期信号ＣＬ１か緊急表示同期信号ＣＬ２であるかを判断する。そのとき、緊急表示同期信号ＣＬ２であった場合、ステップ２Ｓ２に移行しリフレッシュ回数ｔを帰零する。つぎにステップ３Ｓ３でリフレッシュ回数ｔをインクリメントする。
【００２８】
そして、ステップ４Ｓ４において表示パネル２４に対して全てのドットマトリックス画素１ａを黒表示にする駆動信号を出力する。次にステップ５Ｓ５で、今度は逆に全てのドットマトリックス画素１ａを白表示にする駆動信号を出力する。そして、ステップ６Ｓ６においてリフレッシュ回数ｔが６０であるか否か判断し、６０以下であれば、ステップ３Ｓ３に戻り再び全てのドットマトリックス画素１ａを黒表示と白表示を繰返し駆動する。
【００２９】
つまり、緊急表示同期信号ＣＬ２を入力した場合、表示パネル２４の全てのドットマトリックス画素１ａを黒表示と白表示を繰り返すリフレッシュ動作を６０回繰り返すことになる。しかし、ステップ１Ｓ１において、通常表示同期信号ＣＬ１を入力したと判断した場合、ステップ７Ｓ７において、リフレッシュ回数ｔを６０に設定してステップ４Ｓ４とステップ５Ｓ５における全てのドットマトリックス画素１ａを黒表示と白表示を繰返し駆動を１回行う。
【００３０】
いずれの場合でも、リフレッシュ動作が終了すると、次にステップ８Ｓ８以降の書込み動作に移行する。書込み動作において、ステップ８Ｓ８で走査電極番号ｎをリセットし、ステップ９Ｓ９で走査電極番号ｎをインクリメントする。そして、ステップ１０Ｓ１０でセグメント番号ｍをリセットし、ステップ１１Ｓ１１でセグメント番号ｍをインクリメントする。
【００３１】
そして、その時の走査電極番号ｎに対するセグメント番号ｍの表示駆動信号を出力する（ステップ１２Ｓ１２）。つぎにステップ１３Ｓ１３にて緊急表示同期信号ＣＬ２の有無を確認する。緊急表示同期信号ＣＬ２、つまり衝撃検出信号が無ければつぎにステップ１４Ｓ１４に移行する。衝撃検出信号である緊急表示同期信号ＣＬ２があればステップ８Ｓ８に戻りリフレッシュ動作をやり直す。
次にセグメント番号ｍが３３番地まで終了したか否かを判断（ステップ１４Ｓ１４）し、セグメント番号ｍが３３以下の時はステップ１１Ｓ１１に戻り、再び次のセグメント番号ｍに対応した表示駆動信号を出力する。セグメント番号ｍが３３になると次に走査電極番号ｎを３３になるまで繰り返す（ステップ１５Ｓ１５）。
【００３２】
全てのセグメント番号ｍと走査電極番号ｎが３３になると、ステップ１６Ｓ１６に移行し表示パネル２４のドットマトリックス画素１ａを、そのときの表示情報ＤＳＰに準じた表示内容に表示が完了する。
【００３３】
（電子機器の動作説明）
まず、本発明の実施形態のデジタル表示時計が、通常状態での動作について説明する。通常状態のデジタル表示時計は、図１（Ａ）に示すような表示状態である。このとき、図３において、計時手段２１は表示に必要な情報が更新するとデータ更新信号ＲＦを出力する。つまり、１分桁の更新があるとデータ更新信号ＲＦ（タイミング信号）を出力する。
【００３４】
計時手段２１は、データ更新信号ＲＦの出力と同時に時刻データＤＡＴを出力する。時刻データＤＡＴを入力した表示情報記憶手段２２は、時刻データＤＡＴを基に表示情報ＤＳＰに変換し記憶する。表示情報記憶手段２２は記憶した表示情報ＤＳＰを出力するとともに、記憶完了信号ＬＣＣを表示制御回路２５に出力する。
【００３５】
記憶完了信号ＬＣＣを入力した表示制御回路２５は、通常表示同期信号ＣＬ１を表示駆動回路２３に出力する。次に、通常表示同期信号ＣＬ１を入力した表示駆動回路２３は、図
４において説明したように、リフレッシュ動作と書込み動作を行なう。すなわち表示制御手段２５が検出信号ＳＫを検出した場合、表示パネル２４の更新動作は、表示パネル２４の有効画素領域の全面に同一色を表示させる第１の更新動作（リフレッシュ動作）と、表示情報記憶手段２２の表示情報ＤＳＰを表示させる第２の更新動作（書込み動作）を行なう。
【００３６】
一方、図３において、計時手段２１は、アラームの設定時刻になると、所定のアラーム信号ＡＬＭを衝撃検出手段２６に出力する。アラーム信号ＡＬＭを入力した衝撃検出手段２６は、図５で説明したようにアラーム駆動回路３１を作動させ、アラーム駆動信号ＡＬＭ１の出力により圧電素子１０を駆動し、アラーム音を発する。
【００３７】
図１（Ａ）に示す通常の表示状態のときに、図２に示すように、外力５０が加わると、その衝撃力は風防ガラス８と時計ケース２を介して、時計回路モジュール３に伝わる。また、衝撃力は、時計ケース２からケース裏蓋９に伝わり、圧電素子１０にも伝わることになる。
【００３８】
表示パネル１に対する衝撃力は、図２に示すようにパネル押さえ部材５と時計回路モジュール３との間に衝撃吸収材６と衝撃吸収材７とを介して伝達されることになる。したがって、両方の衝撃吸収材６、７によって、ある程度和らげられた衝撃力がパネルに加わるが、この衝撃吸収材６、７で吸収できない外力５０が加わると、図１（Ｂ）に示す表示乱れ１ｂがドットマトリックス画素１ａの一部に出現する。
【００３９】
そのような外力５０が加わると、第２図に示す圧電素子１０の出力は図５における衝撃信号出力回路３２が、その信号のレベルを判断し、ある一定レベル以上と判断すると衝撃信号ＳＫを表示制御回路２５に出力する。衝撃信号ＳＫが入力した表示制御回路２５は、表示情報記憶手段２２に対して表示情報ＤＳＰの出力を指示すべく記憶情報呼出信号を出力する。また、表示制御回路２５は緊急表示同期信号ＣＬ２を表示駆動回路２３に出力する。
【００４０】
緊急表示同期信号ＣＬ２を入力した表示駆動回路２３は、図４において説明した動作で長時間のリフレッシュ動作と書込み動作を行う。この長時間のリフレッシュ動作を行なうことによって、図１（Ｂ）に示す表示乱れ１ｂは正常な表示状態となり、新たな表示情報ＤＳＰを書き込むことができる。
【００４１】
また、通常の表示書替の為のリフレッシュ動作の時間幅より衝撃による表示乱れの解消のためのリフレッシュ動作時間幅を長くすることで、表示乱れ１ｂを解消させる効果は大きい。
さらに、表示制御回路２５がデータ更新信号ＲＦ（タイミング信号）に基づいて表示パネル２４を更新している期間中に衝撃検出手段２６からの検出信号ＳＫを検出した場合には、検出信号ＳＫに基づいて表示パネル２４の表示情報の更新を再度行なう。
なお、図２に示す衝撃吸収材６、７で表示パネル１を狭持することで、ある程度外部から衝撃の影響を緩和させることができるが、さらに強い外力５０が加わっても表示乱れを一瞬のうちに解消することで可能である。  
【図面の簡単な説明】
【００４２】
【図１】本発明の実施の形態における携帯型電子機器の一例のデジタル表示時計を示す平面図であり、（Ａ）は正常表示状態を、（Ｂ）は衝撃を受けて表示乱れが発生した表示状態をそれぞれ示す。
【図２】本発明の実施の形態における携帯型電子機器の一例のデジタル時計を示す断面図である。
【図３】本発明の実施の形態における携帯型電子機器の全体システム構成を示す回路ブロック図である。
【図４】本発明の実施の形態における携帯型電子機器の表示駆動回路の動作を説明するフロー図である。
【図５】本発明の実施の形態における携帯型電子機器の衝撃検出手段のシステム構成を示す回路ブロック図である。
【符号の説明】
【００４３】
１、２４    表示パネル
１ａ        ドットマトリックス画素
６、７      衝撃吸収材
１０        圧電素子
２１        計時手段
２２        表示情報記憶手段
２３        表示駆動回路
２５        表示制御回路
２６        衝撃検出手段
【図１】
2007225872.tif 000003
【図２】
2007225872.tif 000004
【図３】
2007225872.tif 000005
【図４】
2007225872.tif 000006
【図５】
2007225872.tif 000007